(57)【要約】【課題】断熱性能と意匠性に優れた断熱扉を提供する。【解決手段】外板２５と内板２３と枠体２４とによって形成される空間に真空断熱材３０を配置して真空断熱材３０以外の前記空間に硬質ウレタンフォーム２９を発泡充填した断熱扉であって、外板２５は、外部に露出する前面をガラス板２５で構成し、真空断熱材３０を内板２３に固定し、ガラス板２５の重量を支えることができるように枠体２４の下端からガラス板２５の裏面よりも前方に突出させた枠体２４の前端（ガラス板支持突起２４ｂ）がガラス板２５で構成した外板２５の前面よりも前方に突出せずガラス板２５で構成した外板２５の前面の全面が外部に露出するように外板２５を硬質ウレタンフォーム２９の接着力を利用して固定した。【選択図】図５
2014211271.tif 000002
【特許請求の範囲】
【請求項１】
外板と内板と枠体とによって形成される空間に真空断熱材を配置して前記真空断熱材以外の前記空間に硬質ウレタンフォームを発泡充填した断熱扉であって、前記外板は、外部に露出する前面をガラス板で構成し、前記真空断熱材を前記外板と前記内板との中間よりも前記内板寄りに配置もしくは前記真空断熱材を前記内板に固定し、前記枠体の前端が前記ガラス板で構成した前記外板の前面よりも前方に突出せず前記ガラス板で構成した前記外板の前面の全面が外部に露出するように前記外板を硬質ウレタンフォームの接着力を利用して固定したことを特徴とする断熱扉。
【請求項２】
前記真空断熱材は板状の芯材を外被材で覆って減圧密封してなり前記芯材の周囲に前記芯材を間に含まず前記外被材のみから構成されるヒレ部を有し、前記ヒレ部を前記芯材が密封された部分に重なるように折り返して固定し、折り返した前記ヒレ部がある面を前記内板側に向けて、前記真空断熱材を前記内板に固定したことを特徴とする請求項１に記載の断熱扉。
【請求項３】
前記真空断熱材は板状の芯材を外被材で覆って減圧密封してなり前記芯材の周囲に前記芯材を間に含まず前記外被材のみから構成されるヒレ部を有し、前記ヒレ部を前記芯材が密封された部分に重なるように折り返してホットメルト接着剤で固定したことを特徴とする請求項１に記載の断熱扉。
【発明の詳細な説明】
【技術分野】
【０００１】
本発明は、冷蔵庫の扉等に用いられる断熱扉に関するものである。
【背景技術】
【０００２】
近年、冷蔵庫の扉の意匠性を向上させるために、扉の前面板（外板）をガラス板で構成したものが出現している（例えば、特許文献１参照）。
【０００３】
以下、図面を参照しながら、特許文献１に開示された従来の冷蔵庫の断熱扉について説明する。
【０００４】
図８は従来の冷蔵庫の断熱扉の斜視図であり、図９は従来の冷蔵庫の断熱扉の断面図である。
【０００５】
図８、図９に示すように、従来の冷蔵庫の断熱扉は、前面に透明層１０１ａ、裏面に溶融着色した着色層１０１ｂを有する外板としての着色ガラス板１０１と、着色ガラス板１０１の全周に設けた枠体１０２と、着色ガラス板１０１の着色層１０１ｂ側の面に対向して配置された内板１０３と、着色ガラス板１０１、枠体１０２、内板１０３とで囲まれた空間に発泡充填された硬質ウレタンフォーム１０４とからなる。
【０００６】
枠体１０２は、着色ガラス板１０１の外周端部を挿入する断面略コ字状のガラス板挿入部１０２ａを有しており、着色ガラス板１０１の外周端部は、枠体１０２のガラス板挿入部１０２ａ内に挿入されて前後両面が挟持（保持）されている。また、着色ガラス板１０１は、硬質ウレタンフォーム１０４と一体発泡されている。
【０００７】
以上のように構成された従来の冷蔵庫の断熱扉は、以下に示す効果を有している。
【０００８】
１．着色ガラス板１０１にて断熱扉の前面板（外板）に光沢を出すと共に、光沢に深みを持たすことができて質感が増し、金属製あるいは樹脂製の塗装前板と比較すると、断熱扉の前面板（外板）の意匠性が向上する利点がある。
【０００９】
２．扉の前面板（外板）が、着色ガラス板１０１で構成されているため、前面板（外板）の剛性を確保し易く、着色ガラス板１０１の裏面側に補強板を追加しなくても、硬質ウレタンフォーム１０４の発泡充填による扉前面の凹凸の発生を抑制できる。
【００１０】
３．着色ガラス板１０１からなる扉の前面板（外板）に加わる外力は、硬質ウレタンフォーム１０４が緩衝材として機能するので、ある程度吸収でき、着色ガラス板１０１が外力で割れ難いという効果がある。
【先行技術文献】
【特許文献】
【００１１】
【特許文献１】特開平５−１３３６７７号公報
【発明の概要】
【発明が解決しようとする課題】
【００１２】
しかしながら、上記従来の断熱扉は、枠体１０２のガラス板挿入部１０２ａに着色ガラス板１０１の外周端部を嵌め込むことにより、着色ガラス板１０１を枠体１０２に固定していたため、着色ガラス板１０１の前面の外周端部を前方から覆うガラス板挿入部１０２
ａの前面側の縁部がガラス板１０１の前面周囲に露出し、折角ガラス板１０１を用いて向上させた意匠性を損なうという課題があった。
【００１３】
また、このガラス板挿入部１０２ａの前面側の縁部と着色ガラス板１０１との境界部には、微細な塵埃等が付着堆積していき、この付着堆積した微細な塵埃等は、拭き取ろうとしても完全に拭き取ることができず、ガラス板挿入部１０２ａの前面側の縁部に沿って線状に見え始めるようになる。
【００１４】
この現象は着色ガラス板１０１の着色が白色系であれば短期間の使用で目立ち始め、使用期間が長くなるに連れて大きく目立つようになり、冷蔵庫の美観を大きく損ねるという課題があった。
【００１５】
また、上記従来の断熱扉は、断熱材として硬質ウレタンフォーム１０４を用いていたが、近年の節電意識の高まりで、冷蔵庫等の庫内を冷却加熱する貯蔵庫の節電対応で、断熱扉の断熱材の断熱性能の更なる向上が求められている。
【００１６】
本発明は、上記従来の課題に鑑み、断熱性能と意匠性に優れた断熱扉を提供することを目的としている。
【課題を解決するための手段】
【００１７】
本発明は、上記目的を達成するため、外板と内板と枠体とによって形成される空間に真空断熱材を配置して前記真空断熱材以外の前記空間に硬質ウレタンフォームを発泡充填した断熱扉であって、前記外板は、外部に露出する前面をガラス板で構成し、前記真空断熱材を前記外板と前記内板との中間よりも前記内板寄りに配置もしくは前記真空断熱材を前記内板に固定し、前記枠体の前端が前記ガラス板で構成した前記外板の前面よりも前方に突出せず前記ガラス板で構成した前記外板の前面の全面が外部に露出するように前記外板を硬質ウレタンフォームの接着力を利用して固定したのである。
【００１８】
上記構成の断熱扉は、外部に露出する前面をガラス板で構成した外板と真空断熱材とを用いており、枠体の前端がガラス板で構成した外板の前面よりも前方に突出せず、ガラス板で構成した外板前面の全面が外部に露出する構造にしたので、断熱性能と意匠性に優れている。
【００１９】
また、ガラス板で構成した外板前面の全面が外部に露出する構造にした場合でも、硬質ウレタンフォームの接着力を利用して、外部に露出する面をガラス板で構成した外板の脱落を、長期に亘って高い信頼性で防止することが可能になるので、長期に亘って優れた意匠性を維持することができる。
【発明の効果】
【００２０】
本発明の断熱扉は、外部に露出する前面をガラス板で構成した外板と真空断熱材とを用いており、枠体の前端がガラス板で構成した外板の前面よりも前方に突出せず、ガラス板で構成した外板前面の全面が外部に露出する構造にしたので、断熱性能と意匠性に優れている。
【００２１】
また、ガラス板で構成した外板前面の全面が外部に露出する構造にした場合でも、硬質ウレタンフォームの接着力を利用して、外部に露出する面をガラス板で構成した外板の脱落を、長期に亘って高い信頼性で防止することが可能になるので、長期に亘って優れた意匠性を維持することができる。
【図面の簡単な説明】
【００２２】
【図１】本発明の実施の形態１における断熱扉を用いた冷蔵庫の外観斜視図
【図２】同冷蔵庫の断面図
【図３】同冷蔵庫の扉の一つを示す斜視図
【図４】同冷蔵庫の扉の分解斜視図
【図５】同冷蔵庫の扉の概略横断面図
【図６】同冷蔵庫の扉の下部の縦断面を示す要部縦断面図
【図７】本発明の実施の形態２における断熱扉の概略横断面図
【図８】従来の冷蔵庫の断熱扉の斜視図
【図９】従来の冷蔵庫の断熱扉の断面図
【発明を実施するための形態】
【００２３】
第１の発明は、外板と内板と枠体とによって形成される空間に真空断熱材を配置して前記真空断熱材以外の前記空間に硬質ウレタンフォームを発泡充填した断熱扉であって、前記外板は、外部に露出する前面をガラス板で構成し、前記真空断熱材を前記外板と前記内板との中間よりも前記内板寄りに配置もしくは前記真空断熱材を前記内板に固定し、前記枠体の前端が前記ガラス板で構成した前記外板の前面よりも前方に突出せず前記ガラス板で構成した前記外板の前面の全面が外部に露出するように前記外板を硬質ウレタンフォームの接着力を利用して固定したことを特徴とする断熱扉である。
【００２４】
上記構成において、外板は、外部に露出する前面をガラス板で構成し、ガラス板で構成した外板の前面の全面が外部に露出するので、断熱扉の前面を、凹凸のない、全面フラット感のある、すっきりとした外観にすることができる。
【００２５】
また、枠体は、枠体の前端がガラス板で構成した外板の前面よりも前方に突出せず、従来のガラス板挿入部に相当する構造を有していないため、ガラス板の前面の外周端部を前方から覆うガラス板挿入部の前面側（ガラス面側）の縁部とガラス板との間の境界部に塵埃等が付着堆積して、これが縁部に沿って線状に残って目立ってくることもない。
【００２６】
また、外板における外部に露出するガラス面に付着した微細な塵埃等を拭き取る場合に、微細な塵埃等を拭き取る対象となるガラス面に拭き取り作業の障害となる凹凸がないので、微細な塵埃等の拭き取り残しなく、きれいに拭き取ることができ、清掃性に優れ、長期間に亘って初期の高い意匠性（美観に優れた外観）をそのまま維持することができる。
【００２７】
また、一般的に硬質ウレタンフォームの約２０倍の断熱性能を有している真空断熱材を硬質ウレタンフォームと共に複層構造にして断熱扉内に設けたので、断熱扉の断熱材として硬質ウレタンフォームのみを用いた従来の断熱扉よりも断熱性能に優れる。
【００２８】
なお、枠体に外板を保持する構造を設けることなく外板を硬質ウレタンフォームの接着力を利用して固定するには、硬質ウレタンフォームの外板に対する接着力が外板の固定（保持）に充分な接着力である必要がある。
【００２９】
一般的な、断熱扉の硬質ウレタンフォームの発泡充填の工程では、まず、硬質ウレタンフォームを充填する前の断熱扉が外板側を下にして発泡治具に設置され、次に、外板と内板と枠体とによって囲まれた空間に硬質ウレタンフォームの原液が注入される。
【００３０】
そして、この断熱扉の内部空間に注入された硬質ウレタンフォームの原液は、前記空間の底となる外板裏面に流れ落ちた後で、高温度で発泡しながら流動して前記空間を埋めていく。
【００３１】
もし、硬質ウレタンフォームが充填されずに空洞（ボイド）が発生する場合、または、
硬化前の硬質ウレタンフォームに場所による密度のバラツキがある場合は、硬質ウレタンフォームの発泡充填の圧力に場所によるバラツキが生じる。
【００３２】
また、高温度で行われる硬質ウレタンフォームの発泡後に、外板、硬質ウレタンフォーム、真空断熱材、枠体、内板の各部材の温度低下による収縮率の違いにより（未充填部の空洞（ボイド）がある場合は、更に、未充填部の空洞（ボイド）内の空気の温度低下による空気圧の低下の影響も加わって）、硬質ウレタンフォームに隣接する部材に硬質ウレタンフォームによる接着力以上の力が働こうとした場合に、硬質ウレタンフォームとの接着部分が部分的に剥がれ、もしくは接着力が低下する。
【００３３】
このとき、外板の剛性が不足していると、外板が変形したり、外板に用いたガラス板が割れる虞がある。
【００３４】
そして、外板の剛性不足により、外板が変形したり、外板に用いたガラス板が割れないように、外板の剛性を高めようとして外板に用いるガラス板を厚くすると、外板の重量が増して、外板のガラス面が鉛直方向に対して略平行（外板のガラス面が前面）になる断熱扉の使用時に、外板の重量により外板が硬質ウレタンフォームから剥がれて脱落するように作用する力と外板に対する硬質ウレタンフォームの接着力とのバランスが悪くなり、外板の重量により外板が硬質ウレタンフォームから剥がれて脱落するリスクが高くなる。
【００３５】
一般に、真空断熱材は、板状の芯材を外被材で覆って減圧密封してなり、芯材の周囲に芯材を外被材の間に含まず外被材のみから構成されるヒレ部を有している。
【００３６】
そして、真空断熱材のヒレ部は、高温度で発泡しながら流動する硬質ウレタンフォームの流動性を妨げ空洞（ボイド）発生の原因になりやすいので、ヒレ部を芯材が密封された部分に重なるように折り返して、ホットメルトなどの接着剤、両面接着（粘着）シート、片面接着（粘着）テープなどで、高温度で発泡しながら流動する硬質ウレタンフォームが折り返された状態のヒレ部または接着部に作用しても、ヒレ部が折り返された状態を維持するように接着固定して用いる。
【００３７】
また、外板または内板に密着するように真空断熱材を配置する場合は、高温度で発泡しながら流動する硬質ウレタンフォームによって、真空断熱材の配置位置が移動しないように、ホットメルトなどの接着剤、両面接着（粘着）シート、片面接着（粘着）テープなどで、真空断熱材を外板または内板に固定する。
【００３８】
また、外板と真空断熱材との間と内板と真空断熱材との間の両方に間に硬質ウレタンフォームが充填されるように、真空断熱材を中間浮かし配置にする場合は、外板と内板と枠体のいずれかと真空断熱材との間に中間浮かし用の部材が必要になる。
【００３９】
そして、真空断熱材、真空断熱材の接着固定手段、中間浮かし用の部材は、高温度で発泡しながら流動する硬質ウレタンフォームの流動性を悪くするので、真空断熱材の周囲に、硬質ウレタンフォームが充填されない空洞（ボイド）が発生し易い。
【００４０】
以上のように、真空断熱材の周囲には、硬質ウレタンフォームが充填されない空洞（ボイド）が発生し易いので、硬質ウレタンフォームの空洞（ボイド）発生による外板への悪影響が少なくなるように、真空断熱材は、外板に近接して配置するよりも外板から離した方が良いことが分かる。
【００４１】
また、外板に密着するように真空断熱材を配置する場合は、真空断熱材の伝熱面が外板の面積より小さいと、外板と硬質ウレタンフォームとが密着する部分と、外板と硬質ウレ
タンフォームとの間に真空断熱材が介在する部分ができる。
【００４２】
そして、外板と硬質ウレタンフォームとが密着する部分については、外板に対する硬質ウレタンフォームの接着力が外板を保持する力に作用するが、外板と硬質ウレタンフォームの間に真空断熱材が介在する部分については、外板と真空断熱材との接着固定手段の接着力と真空断熱材に対する硬質ウレタンフォームの接着力の両方の接着力が外板を保持する力に作用する。
【００４３】
そのため、外板と硬質ウレタンフォームの間に真空断熱材が介在する部分において、外板を保持する力は、外板と真空断熱材との接着固定手段の接着力よりも弱くなり、また、真空断熱材に対する硬質ウレタンフォームの接着力よりも弱くなる。また、真空断熱材に対する硬質ウレタンフォームの接着力は、外板に対する硬質ウレタンフォームの接着力よりもバラツキが生じやすい。
【００４４】
また、硬質ウレタンフォーム発泡前の冶具予熱工程では、高温度で発泡しながら流動する硬質ウレタンフォームの流動性と発泡効率を高めるため、発泡治具に設けた加熱手段により、硬質ウレタンフォームと隣接する部材の表面温度を所定温度に高めているが、真空断熱材における加熱手段の加熱の影響を受けやすい面と反対側の面は、真空断熱材の高い断熱性能が影響して、温度上昇し難い。
【００４５】
そして、外板に隣接する発泡治具に加熱手段があり、外板に略密着するように真空断熱材を配置した場合は、真空断熱材の高い断熱性能が影響して、真空断熱材における内板と対向する面の表面温度が所定温度より低い温度になるので、真空断熱材に対する硬質ウレタンフォームの接着力が悪くなる。
【００４６】
したがって、外板に密着するように真空断熱材を配置した場合は、外板と真空断熱材との間に硬質ウレタンフォームが介在する場合よりも、外板を保持する力が低下する。
【００４７】
また、外板に用いたガラス板が、外部からの衝撃で割れにくくするには、外板に対する外部からの衝撃力を吸収、分散する、比較的柔らかい緩衝材として機能するものが外板の内側で外板に隣接していることが望ましいので、真空断熱材の硬度が硬質ウレタンフォームの硬度より硬い場合は、外板に密着するように真空断熱材を配置するよりも外板と真空断熱材との間に硬質ウレタンフォームを介在させた方が、外板に用いたガラス板が外部からの衝撃で割れ難い。
【００４８】
また、外板に密着するように真空断熱材を配置する場合において、外板と硬質ウレタンフォームとが密着する部分ができる場合や、真空断熱材における外板に密着する面に凹凸がある場合や、真空断熱材のヒレ部を外板と対向する面側に折り返した場合は、外板に対する外部からの衝撃力を外板の内側で受け止める部分が局部に集中し易くなる。
【００４９】
そして、外板に対する外部からの衝撃力を外板の内側で受け止める部分が局部に集中すると、外板に用いたガラス板が外部からの衝撃で割れ易くなるので、外板に密着するように真空断熱材を配置するのは、好ましくない。
【００５０】
また、外板に密着するように真空断熱材を配置する場合において、真空断熱材が、板状の芯材をアルミニウムなどの金属を蒸着した蒸着層またはアルミニウム箔などの金属箔を有するラミネートフィルムからなる２枚の外被材で覆って減圧密封してなり、芯材の周囲に芯材を外被材の間に含まず外被材のみから構成されるヒレ部を有しており、真空断熱材のヒレ部を内板と対向する面側に折り返した場合は、外板から真空断熱材に伝わった熱は、外板に密着する外被材からヒレ部に伝わり、ヒレ部は内板と対向する面側に折り返して
いるので、ヒレ部における内板と対向する部分にまで伝わるので、真空断熱材の高い断熱性能を充分に発揮させることができない。
【００５１】
また、真空断熱材が、板状の芯材をアルミニウムなどの金属を蒸着した蒸着層またはアルミニウム箔などの金属箔を有するラミネートフィルムからなる２枚の外被材で覆って減圧密封してなり、芯材の周囲に芯材を外被材の間に含まず外被材のみから構成されるヒレ部を有しており、ヒレ部の外被材同士を熱溶着している場合は、真空断熱材の設置環境が高温である程、真空断熱材の外部のガス（空気）が、外被材または外被材同士を熱溶着した部分から、真空断熱材の内部に侵入し易くなる。
【００５２】
真空断熱材は内部の真空度が低下する（内圧が高くなる）程断熱性能が低下するので、真空断熱材の高い断熱性能を長期に亘って維持させるには、真空断熱材の設置環境が低温である程好ましい。
【００５３】
本発明では、真空断熱材を外板と内板との中間よりも内板寄りに配置もしくは真空断熱材を内板に固定したので、真空断熱材を外板と内板との中間よりも外板寄りに配置もしくは真空断熱材を外板に固定した場合よりも、真空断熱材を硬質ウレタンフォームと共に複層構造にして断熱扉内に設けたことによる硬質ウレタンフォームの接着力で外板を固定（保持）する機能の低下の影響を小さくすることができ、外板に用いるガラス板を薄くすることが可能になり、ガラス板で構成した外板の前面の全面が外部に露出するように、外板を硬質ウレタンフォームの接着力を利用して固定することができ、長期に亘って外板を硬質ウレタンフォームの接着力を利用して固定（保持）することができる。
【００５４】
したがって、本発明の断熱扉は、外部に露出する前面をガラス板で構成した外板と真空断熱材とを用いており、枠体の前端がガラス板で構成した外板の前面よりも前方に突出せず、ガラス板で構成した外板前面の全面が外部に露出する構造にしたので、断熱性能と意匠性に優れている。
【００５５】
また、ガラス板で構成した外板前面の全面が外部に露出する構造にした場合でも、硬質ウレタンフォームの接着力を利用して、外部に露出する面をガラス板で構成した外板の脱落を、長期に亘って高い信頼性で防止することが可能になるので、長期に亘って優れた意匠性を維持することができる。
【００５６】
第２の発明は、第１の発明において、前記真空断熱材は板状の芯材を外被材で覆って減圧密封してなり前記芯材の周囲に前記芯材を間に含まず前記外被材のみから構成されるヒレ部を有し、前記ヒレ部を前記芯材が密封された部分に重なるように折り返して固定し、折り返した前記ヒレ部がある面を前記内板側に向けて、前記真空断熱材を前記内板に固定したものである。
【００５７】
真空断熱材の芯材の周囲のヒレ部を芯材が密封された部分に重なるように折り返して、例えば、主に梱包に用いられる耐水性、耐湿性に優れたＯＰＰテープ（ポリプロピレン材を溶融押出成型により透明なフィルムにして粘着剤を塗布した延伸ポリプロピレンテープ）などで固定し、折り返したヒレ部がある面を内板側に向けて、真空断熱材を内板に固定すると、高温度で発泡しながら流動する硬質ウレタンフォームは、折り返したヒレ部を接着固定した部分を剥がすように作用しないので、折り返したヒレ部の接着固定状態を長期に亘って維持できる。
【００５８】
第３の発明は、第１の発明において、前記真空断熱材は板状の芯材を外被材で覆って減圧密封してなり前記芯材の周囲に前記芯材を間に含まず前記外被材のみから構成されるヒレ部を有し、前記ヒレ部を前記芯材が密封された部分に重なるように折り返してホットメ
ルト接着剤で固定したものであり、高温度で発泡しながら流動する硬質ウレタンフォームが、折り返したヒレ部を接着固定した部分を剥がすように作用した場合に、他の接着固定手段に比べて、接着固定した部分が剥がれ難い。
【００５９】
以下、本発明の断熱扉の実施の形態について、図面を参照しながら説明する。なお、この実施の形態によって本発明が限定されるものではない。
【００６０】
（実施の形態１）
図１は本発明の実施の形態１における断熱扉を用いた冷蔵庫の外観斜視図であり、図２は同冷蔵庫の断面図、図３は同冷蔵庫の扉の一つを示す斜視図であり、図４は同冷蔵庫の扉の分解斜視図であり、図５は同冷蔵庫の扉の概略横断面図であり、図６は同冷蔵庫の扉の下部の縦断面を示す要部縦断面図である。
【００６１】
図１、図２において、冷蔵庫本体１を構成する断熱箱体は、前方に開口する金属製（例えば鉄板）の外箱２と、硬質樹脂製（例えばＡＢＳ）の内箱３と、これら外箱２と内箱３との間に発泡充填した硬質ウレタンフォーム４からなる。
【００６２】
冷蔵庫本体１は、その内部に、最上段に冷蔵室５と、冷蔵室５の下に位置する切替室６及び切替室６の横に並設した製氷室７と、切替室６及び製氷室７の下部に位置する冷凍室８と、冷凍室８の下部に位置する野菜室９とを有する。
【００６３】
そして、冷蔵室５の前面は、例えば観音開き式の扉１０，１０により開閉自由に閉塞し、切替室６及び製氷室７と冷凍室８と野菜室９の前面部は、それぞれ引き出し式の扉１１，１２，１３，１４によって開閉自由に閉塞してある。
【００６４】
冷凍室８の奥には冷却室１６が設けられる。そして、冷却室１６には、周囲の空気との熱交換により冷気を生成する冷却器１７と、冷気を各室に供給する送風ファン１８とが設けてある。
【００６５】
また、冷蔵庫本体１の本体天面奥部には圧縮機１９が設けている。そして、圧縮機１９と、コンデンサ（図示せず）と、放熱用の放熱パイプ２０と、キャピラリーチューブ２１と、冷却器１７とを順次環状に接続すると共に、内部に冷媒を封入して、冷凍サイクルを構成している。
【００６６】
この冷凍サイクルは冷却運転を行うように構成しており、圧縮機１９から吐出した高温高圧のガス冷媒は、コンデンサ（図示せず）と放熱パイプ２０で凝縮し、キャピラリーチューブ２１で減圧され、冷却器１７で冷却器１７の周囲の空気と熱交換して気化して、圧縮機１９に戻る。
【００６７】
ここで、上記各扉１０〜１４は、冷蔵庫本体１と同様に、内部空間に硬質ウレタンフォームを発泡充填して断熱性を持たせてあり、更に意匠性を向上させるべく、前面板となる外板の前面をガラス板で構成してある。
【００６８】
以下、扉１０を例にして、その構成について図３〜図６を用いて説明する。なお、扉１０以外の扉１１〜１４も同様の構成であるので、その説明は省略する。
【００６９】
図３〜図６において、内板２３は、扉１０の裏側（冷蔵庫本体１の内側）に位置することになり、例えばＡＢＳ樹脂で真空形成してある。枠体２４は、内板２３の周端面に結合固定する縁枠で、ＡＢＳ樹脂で形成してある。ガラス板からなる前面板（外板）２５は、内板２３と所定間隔あけて内板２３と対向するように枠体２４の前に積層配置しており、
本実施の形態では、光沢のある強化ガラス板を用いている。
【００７０】
このガラス板２５は、図５、図６に示すように、裏面に透明の接着剤２６を介して樹脂フィルム２７が貼り付けてある。この樹脂フィルム２７には、絵模様、例えばヘアーラインのような金属調模様からなる着色層２８が形成してある。これによって、ガラス板２５は、あたかも着色層付きのガラス板となる。
【００７１】
本実施の形態では、ガラス板２５の裏面に透明の接着剤２６を介して着色層２８を有する樹脂フィルム２７を貼り付けたが、ガラス板２５の裏面に、多層のシルクスクリーン印刷やその他の手段で加飾を施しても構わない。
【００７２】
樹脂フィルム２７は、本実施の形態では透明性が高く機械的強度の高いポリエチレンテレフタレートを用い、着色層２８はホワイト系ではガラス板２５とは反対側面に形成し、グレー系ではガラス板２５側に形成してある。図面ではガラス板２５とは反対側面に形成した場合を示している。
【００７３】
なお、ヘアーラインを立体的に強調する場合には、ガラス板２５側に形成した着色層とは反対側の樹脂フィルムの表面に凹凸状の溝を設けて立体形状のヘアーラインを形成し、その表面にクロム蒸着層を形成する。
【００７４】
これにより、意匠性を向上できると共に、蒸着層の材料をクロムとすることで、フィルムと蒸着層の端面を起点とする蒸着層の錆発生を防止でき、模様の耐久性を向上させる効果がある。
【００７５】
硬質ウレタンフォーム２９は、ガラス板２５の樹脂フィルム２７側の面（裏面）と内板２３と枠体２４とによって形成される空間に真空断熱材３０を（真空断熱材３０が内板２３と略密着するように）配置した後で真空断熱材３０以外の空間に発泡充填されている。
【００７６】
ここで、真空断熱材３０は、グラスウール等の繊維集合体からなる板状の芯材３１をアルミニウムなどの金属をプラスチックフィルムに蒸着した蒸着層またはアルミニウム箔などの金属箔をプラスチックフィルムの間に有するラミネートフィルムからなる２枚の外被材３２で覆って芯材３１を２枚の外被材３２の間に減圧密封してなり、芯材３１の周囲に芯材３１を外被材３２の間に含まず外被材３２のみから構成されるヒレ部３３を有している。
【００７７】
なお、真空断熱材３０の外部のガス（空気）が、真空断熱材３０の内部（芯材が外被材３２により密封された空間）に容易に侵入しないようにヒレ部３３の外被材３２同士は熱溶着されている。
【００７８】
また、ヒレ部３３を芯材３１が密封された部分に重なるように折り返して、折り返したヒレ部３３の上から両面テープ３４または片面接着テープで折り返した状態を維持するように固定し、折り返したヒレ部３３がある面を内板２３側に向けて、真空断熱材３０を両面テープ３４で内板２３に固定している。
【００７９】
なお、真空断熱材３０と内板２３とを接着する両面テープ３４は、内板２３における真空断熱材３０が略密着する部分が略平面であれば、真空断熱材３０と内板２３の隙間に硬質ウレタンフォーム２９が入らないように真空断熱材３０における内板２３と対向する面の外周の全周（または真空断熱材３０における内板２３と対向（密着）する面の略全面）に設けることが好ましい。
【００８０】
硬質ウレタンフォーム２９は、発泡によって真空断熱材３０、内板２３及び枠体２４と共にガラス板２５裏面に接着剤２６により貼り付けられた（着色層２８が形成された）樹脂フィルム２７に接着し、樹脂フィルム２７を介してガラス板２５を接着保持している。
【００８１】
本実施の形態では、硬質ウレタンフォーム２９を発泡充填する前に、ガラス板２５と枠体２４との所定の位置関係を維持できるように、ガラス板２５の樹脂フィルム２７側の面（裏面）と枠体２４の前面側の端面２４ａとを両面テープ３５によって接着している。
【００８２】
また、枠体２４は、従来例で説明したようなガラス板挿入部を有しておらず、ガラス板２５の外周端は、図６に示すように枠体２４の前面側の端面２４ａと同一か若干内側に位置、本実施の形態では若干内側に位置させただけの構成としてある。
【００８３】
また、本実施の形態では、図５に示すように、長方形のガラス板２５の四辺の前後２つの角のうち前面側の角は面取りしてあり、枠体２４の下端にはガラス板２５の裏面よりも前方に突出するガラス板支持突起２４ｂを設けており、ガラス板支持突起２４ｂがガラス板２５の重量を支えることができるように構成してある。
【００８４】
このガラス板支持突起２４ｂは、ガラス板２５で構成した外板の前面よりも前方に突出させず、ガラス板支持突起２４ｂの前端は、ガラス板２５の外周縁の面取り部分よりも後方に位置させている。
【００８５】
上記構成において、この冷蔵庫の扉１０は、ヘアーラインのような金属調模様からなる着色層２８がガラス板２５及び樹脂フィルム２７からなる透明層の内側に位置するため、着色の色に深みが加わり、その意匠性は金属製あるいは樹脂製の塗装前板に比べると大きく向上する。
【００８６】
特に、本実施の形態では、着色層２８は樹脂フィルム２７に形成しているので、ローラ等によって樹脂フィルム２７に形成することができ、ヘアーライン等の精細な模様も形成できて、その意匠性を格段に向上させることができる。
【００８７】
また、着色層２８は、ローラ等によって樹脂フィルム２７に形成することができるので、樹脂フィルム２７に対する接着強度を管理保証することができ、硬質ウレタンフォーム２９の熱収縮や経年変化等による接着状態の劣化が生じても樹脂フィルム２７に対し剥がれることを防止できるようになる。
【００８８】
これにより、樹脂フィルム２７をガラス板２５と硬質ウレタンフォーム２９との間に位置させて、これら両者を硬質ウレタンフォーム２９及び接着剤２６の接着力によって接着させたとき、着色層２８が樹脂フィルム２７から剥がれ、この剥がれに起因してガラス板２５が硬質ウレタンフォーム２９から剥離等するのを防止することができる。
【００８９】
よって、長期間に亘ってフィルム付きガラス板２５の接着強度を維持保証することができ、信頼性を確保することができる。
【００９０】
本実施の形態では、硬質ウレタンフォーム２９の発泡密度をガラス板２５の中央部分よりもガラス板２５の外周部分の方が高くなるようにしているので、硬質ウレタンフォーム２９の接着力はガラス板２５の外周部分の方がガラス板２５の中央部分より強くなる。
【００９１】
これにより、ガラス板２５の樹脂フィルム２７と硬質ウレタンフォーム２９との接着力を長期間に亘ってより確実に維持保証することができる。
【００９２】
すなわち、冷蔵庫は内部と外部で温度差が激しく、扉の開閉時に内部からの冷気によって、扉のガラス板２５の外周部分はガラス板２５の中央部分よりも結露や激しい温度変化の影響を受ける。
【００９３】
また、使用者の使い方によっては、扉の開閉時に激しい衝撃を扉に与えたり、収納物の出し入れ時にガラス板２５を含む扉に水や汁を溢す使用実態となる。
【００９４】
そして、このような冷蔵庫特有の使用環境・実態によって、ガラス板２５の外周部分はガラス板の外周端部を覆うガラス板挿入部が無いと硬質ウレタンフォーム２９から剥がれやすい環境となっている。
【００９５】
このような環境下において、ガラス板２５の外周部分は、硬質ウレタンフォーム２９の発泡密度が高い、すなわち、ごく微細に発泡しているウレタンスキン層との接着となっていて、硬質ウレタンフォーム２９とガラス板２５の裏面の樹脂フィルム２７との接着密度はガラス板２５の中央部分よりも高く強固なものとなっている。
【００９６】
したがって、長期間の使用に際してもガラス板２５の裏面の樹脂フィルム２７と硬質ウレタンフォーム２９との接着は確保され、長期間に亘って樹脂フィルム２７を裏面に設けたガラス板２５の接着強度を維持保証することができ、信頼性を確保できるのである。
【００９７】
寿命加速試験を行った結果、ガラス板２５の裏面に設けた樹脂フィルム２７と硬質ウレタンフォーム２９との接着力を１．０ｇ／ｃｍ２ 以上、好ましくは２．６ｇ／ｃｍ２ 以上とすれば、硬質ウレタンフォーム２９の熱収縮等の経年変化による接着力劣化があっても樹脂フィルム２７と硬質ウレタンフォーム２９との接着強度を保証することができ、ひいては樹脂フィルム２７を介してガラス板２５の硬質ウレタンフォーム２９に対する接着強度を長期間に亘って維持保証することができることが分かった。
【００９８】
ここで、上記接着力の測定は、接着剤の重ね合わせ剪断接着強さの標準的な測定方法である「ＪＩＳ  Ｋ  ６８５０（接着剤−剛性被着材の引張せん断  接着強さ試験方法）」に基づく方法により行った。
【００９９】
また、本実施の形態では、樹脂フィルム２７をポリエチレンテレフタレートフィルムで形成しており、このポリエチレンテレフタレートは機械的強度が高いので、フィルム自体が硬質ウレタンフォーム２９の熱収縮に伴う経年変化で破れ、この破れた部分から樹脂フィルム２７の硬質ウレタンフォーム２９への接着の剥離が経年的に進行するのを防止でき、その接着強度維持保証の信頼性を確保することができる。
【０１００】
一方、この扉は、上記接着強度の維持保証によって従来のガラス板２５の外周端部を覆うガラス板挿入部等を廃止することができるから、ガラス板挿入部があるもののように意匠性を損なうことがなく、全面フラット感のあるすっきりとした外観にすることができる。また、ガラス板挿入部とガラス板２５との間の境界部に塵埃等が付着堆積して、これが線状に目立ってくることもなく、長期間に亘って初期の高い意匠性をそのまま維持することができる。
【０１０１】
また、本実施の形態では、枠体２４の下端には、ガラス板２５の裏面よりも前方に突出するガラス板支持突起２４ｂを設けており、ガラス板支持突起２４ｂがガラス板２５の重量を支えることができるように構成してあるので、万が一、硬質ウレタンフォーム２９によるガラス板２５の接着力の劣化によってガラス板２５の剥がれが部分的に生じるようなことがあったとしても、ガラス板２５が落下する等の異常事態を防止でき、安心感が大きく向上する。
【０１０２】
また、枠体２４のガラス板支持突起２４ｂは、ガラス板２５で構成した外板の前面よりも前方に突出せず、また、ガラス板２５で構成した外板の前面を前方から覆わないので、ガラス板挿入部のように扉前面から見えることもなく、意匠性及び全面フラット感は良好なまま維持できる。また、拭きとり時にごみがたまらない程度の微少な出っ張りであれば、塵埃の非付着効果が変わらないのは言うまでもない。
【０１０３】
また、本実施の形態では、ガラス板２５は、その外周端部が枠体２４の前面側の端面２４ａより若干内側に位置する構成としてあるから、このガラス板２５の外周端部を枠体２４の端面２４ａが保護することになり、また、ガラス板２５の外周端部にガラス板２５を剥がす方向の力が加わり難くなる。
【０１０４】
よって、例えば生産ラインでの扉搬送時やユーザ宅における扉交換サービス時にガラス板２５の外周端部が何らかの物に当たって割れたりするようなことを防止することもできる。すなわち、ガラス板２５を保持するためのガラス板挿入部を廃止してもガラス板外周部の破損を防止することができ、また、ガラス板２５の外周端部にガラス板２５を剥がす方向の力が加わるのを抑制でき、扉の前全面板（外板）にガラス板２５を用いても安心して冷蔵庫を使用することができる。
【０１０５】
また、仮にガラス板２５に何らかの外力が加わって万が一割れることがあっても、このガラス板片は樹脂フィルム２７に接着していて飛散を防止されることになり、万が一のときの安全性も向上する。
【０１０６】
なお、樹脂フィルム２７における硬質ウレタンフォーム２９と接触する面に予めウレタン系接着剤またはポリエステル系の接着剤を塗布しておけば、樹脂フィルム２７における硬質ウレタンフォーム２９と接触する面に接着剤を塗布しない場合よりも、樹脂フィルム２７と硬質ウレタンフォーム２９との接着力を高めることができる。
【０１０７】
樹脂フィルム２７における硬質ウレタンフォーム２９と接触する面に予め接着剤を塗布することにより、硬質ウレタンフォーム２９の発泡密度が低くて硬質ウレタンフォーム２９と樹脂フィルム２７との実質接着面積が減少するガラス板２５の中央部分での接着強度も向上させることができる。
【０１０８】
すなわち、硬質ウレタンフォーム２９の発泡密度が低くて硬質ウレタンフォーム２９と樹脂フィルム２７との実質接着面積が減少する分を、樹脂フィルム２７における硬質ウレタンフォーム２９と接触する面に塗布する接着剤による接着でカバーして、硬質ウレタンフォーム２９と樹脂フィルム２７との接着強度をより確実に確保することができ、ひいてはガラス板２５の接着強度を長期間に亘って維持保証することができ、信頼性の高いものとすることができる。
【０１０９】
また、樹脂フィルム２７と硬質ウレタンフォーム２９との接着面は、ミクロ的に見ると硬質ウレタンフォーム２９のスキン層と樹脂フィルム２７とが接着しており、このようなスキン層と樹脂フィルム２７とは、その双方の表面が滑面となっているため、剥がれかけると一気に剥がれてしまう危険性がある。
【０１１０】
特に、ガラス板２５の外周部分の発泡密度を高めて、ガラス板２５との接着面をスキン層とした場合にあってはガラス板２５の外周部分で剥がれが広がってしまう恐れがある。
【０１１１】
しかしながら、樹脂フィルム２７の硬質ウレタンフォーム２９との密着面に接着剤を介在させると、樹脂フィルム２７と硬質ウレタンフォーム２９との接着強度が高いものとな
り、上記したような硬質ウレタンフォーム２９のスキン層と樹脂フィルム２７との剥がれの広がりを防止できる。
【０１１２】
ウレタン系またはポリエステル系の接着剤を構成するウレタンまたはポリエステルは、その溶解性パラメータ（以下、ＳＰ値と称す）がウレタンのＳＰ値１０〜１１及びフィルムの材料であるポリエチレンテレフタレートのＳＰ値１１．３と近いので、これら相互間の接着力はより強固なものとなり、その接着強度維持はきわめて高いものとなる。
【０１１３】
換言すると、ポリエステル系（アクリル系も同様）樹脂は末端に−ＯＨ基をイソシアネートで反応させていて、ウレタン変成樹脂膜となっており、一方、ウレタン発泡材はポリエーテルポリオールのイソシアネート硬化であることから、基本の樹脂骨格は異なるものの反応内容は同じであるため、接着強度が向上するのである。よって、ガラス板２５の接着強度を長期間に亘って維持保証することができ、信頼性を一段と高めることができる。
【０１１４】
ガラス板２５の裏面の樹脂フィルム２７と枠体２４の前面側の端面２４ａとを両面テープ３５によって接着すると、ガラス板２５は硬質ウレタンフォーム２９との接着に加え両面テープ３５を介して枠体２４にも接着されることになる。よって、ガラス板２５は樹脂フィルム２７を介して硬質ウレタンフォーム２９と枠体２４の両方に強力に接着保持されることになり、長期間に亘ってガラス板２５の接着強度を維持保証することができ、更に信頼性の高いものとすることができる。
【０１１５】
上記実施の形態は本発明を実施するうえでの一例として示したものであり、本発明の目的を達成する範囲内で種々変更可能であることは言うまでもない。
【０１１６】
例えば、ガラス板２５を透明樹脂板に置き換えても良く、これによって軽量化による接着強度の更なる保証が可能となり、しかも低コスト化を図ることができる。また、樹脂フィルムも着色層の接着強度を管理保証できるものであれば、ポリエチレンテレフタレート以外のものであっても良い。
【０１１７】
更に、樹脂フィルム２７の着色層２８は既に述べている通り、ガラス板２５側であっても良く、また、樹脂フィルム２７と硬質ウレタンフォーム２９との接着強度を向上させるために用いる接着剤にウレタンバインダー或いは蒸着層を用いても良く、或いは樹脂フィルム２７における硬質ウレタンフォーム２９と接触する面に塗布する接着剤と硬質ウレタンフォーム２９との間に更に蒸着層或いはウレタンバインダー或いはその双方を介在させても良く、必要に応じて用いることによって接着強度や着色層の意匠性を向上させることができる。
【０１１８】
本実施の形態の冷蔵庫の扉１０〜１４に用いた断熱扉は、外板２５と内板２３と枠体２４とによって形成される空間に真空断熱材３０を配置して真空断熱材３０以外の前記空間に硬質ウレタンフォーム２９を発泡充填した断熱扉であって、外板２５は、外部に露出する前面をガラス板２５で構成し、真空断熱材３０を外板２５と内板２３との中間よりも内板２３寄りに配置もしくは真空断熱材３０を内板２３に固定し、枠体２４の前端（ガラス板支持突起２４ｂ）がガラス板２５で構成した外板２５の前面よりも前方に突出せずガラス板２５で構成した外板２５の前面の全面が外部に露出するように外板２５を硬質ウレタンフォーム２９の接着力を利用して固定した断熱扉である。
【０１１９】
上記構成において、外板２５は、外部に露出する前面をガラス板２５で構成し、ガラス板２５で構成した外板２５の前面の全面が外部に露出するので、断熱扉の前面を、凹凸のない、全面フラット感のある、すっきりとした外観にすることができる。
【０１２０】
また、枠体２４は、枠体２４の前端（ガラス板支持突起２４ｂ）がガラス板２５で構成した外板２５の前面よりも前方に突出せず、従来のガラス板挿入部に相当する構造を有していないため、ガラス板２５の前面の外周端部を前方から覆うガラス板挿入部の前面側（ガラス面側）の縁部とガラス板２５との間の境界部に塵埃等が付着堆積して、これが縁部に沿って線状に残って目立ってくることもない。
【０１２１】
また、外板２５における外部に露出するガラス面に付着した微細な塵埃等を拭き取る場合に、微細な塵埃等を拭き取る対象となるガラス面に拭き取り作業の障害となる凹凸がないので、微細な塵埃等の拭き取り残しなく、きれいに拭き取ることができ、清掃性に優れ、長期間に亘って初期の高い意匠性（美観に優れた外観）をそのまま維持することができる。
【０１２２】
また、一般的に硬質ウレタンフォームの約２０倍の断熱性能を有している真空断熱材３０を硬質ウレタンフォーム２９と共に複層構造にして断熱扉内に設けたので、断熱扉の断熱材として硬質ウレタンフォームのみを用いた従来の断熱扉よりも断熱性能に優れる。
【０１２３】
なお、枠体２４に外板２５を保持する構造を設けることなく外板２５を硬質ウレタンフォーム２９の接着力を利用して固定するには、硬質ウレタンフォーム２９の外板２５に対する接着力が外板２５の固定（保持）に充分な接着力である必要がある。
【０１２４】
一般的な、断熱扉の硬質ウレタンフォーム２９の発泡充填の工程では、まず、硬質ウレタンフォーム２９を充填する前の断熱扉が外板２５側を下にして発泡治具（図示せず）に設置され、次に、外板２５と内板２３と枠体２４とによって囲まれた空間に硬質ウレタンフォーム２９の原液が注入される。なお、内板２３は、外板２５と枠体２４を組み合わせて外板２５側を下にしたものに硬質ウレタンフォーム２９の原液を注入した後に、枠体２４の上に被せる場合もある、
そして、この断熱扉の内部空間に注入された硬質ウレタンフォーム２９の原液は、前記空間の底となる外板２５裏面に流れ落ちた後で、高温度で発泡しながら流動して前記空間を埋めていく。
【０１２５】
もし、硬質ウレタンフォーム２９が充填されずに空洞（ボイド）が発生する場合、または、硬化前の硬質ウレタンフォーム２９に場所による密度のバラツキがある場合は、硬質ウレタンフォーム２９の発泡充填の圧力に場所によるバラツキが生じる。
【０１２６】
また、高温度で行われる硬質ウレタンフォーム２９の発泡後に、外板２５、硬質ウレタンフォーム２９、真空断熱材３０、枠体２４、内板２３の各部材の温度低下による収縮率の違いにより（未充填部の空洞（ボイド）がある場合は、更に、未充填部の空洞（ボイド）内の空気の温度低下による空気圧の低下の影響も加わって）、硬質ウレタンフォーム２９に隣接する部材に硬質ウレタンフォーム２９による接着力以上の力が働こうとした場合に、硬質ウレタンフォーム２９との接着部分が部分的に剥がれ、もしくは接着力が低下する。
【０１２７】
このとき、外板２５の剛性が不足していると、外板２５が変形したり、外板２５に用いたガラス板２５が割れる虞がある。
【０１２８】
そして、外板２５の剛性不足により、外板２５が変形したり、外板２５に用いたガラス板２５が割れないように、外板２５の剛性を高めようとして外板２５に用いるガラス板２５を厚くすると、外板２５の重量が増して、外板２５のガラス面が鉛直方向に対して略平行（外板２５のガラス面が前面）になる断熱扉の使用時に、外板２５の重量により外板２５が硬質ウレタンフォーム２９から剥がれて脱落するように作用する力と外板２５に対す
る硬質ウレタンフォーム２９の接着力とのバランスが悪くなり、外板２５の重量により外板２５が硬質ウレタンフォーム２９から剥がれて脱落するリスクが高くなる。
【０１２９】
一般に、真空断熱材３０は、グラスウール等の繊維集合体からなる板状の芯材３１をアルミニウムなどの金属をプラスチックフィルムに蒸着した蒸着層またはアルミニウム箔などの金属箔をプラスチックフィルムの間に有するラミネートフィルムからなる２枚の外被材３２で覆って芯材３１を２枚の外被材３２の間に減圧密封してなり、芯材３１の周囲に芯材３１を外被材３２の間に含まず外被材３２のみから構成されるヒレ部３３を有している。
【０１３０】
そして、真空断熱材３０のヒレ部３３は、高温度で発泡しながら流動する硬質ウレタンフォーム２９の流動性を妨げ空洞（ボイド）発生の原因になりやすいので、ヒレ部３３を芯材３１が外被材３２の間に密封された部分に重なるように折り返して、ホットメルトなどの接着剤、両面接着（粘着）シート、片面接着（粘着）テープなどで、高温度で発泡しながら流動する硬質ウレタンフォーム２９が折り返された状態のヒレ部３３または接着部に作用しても、ヒレ部３３が折り返された状態を維持するように接着固定して用いる。
【０１３１】
また、外板２５または内板２３に密着するように真空断熱材３０を配置する場合は、高温度で発泡しながら流動する硬質ウレタンフォーム２９によって、真空断熱材３０の配置位置が移動しないように、ホットメルトなどの接着剤、両面接着（粘着）シート、片面接着（粘着）テープなどで、真空断熱材３０を外板２５または内板２３に固定する。
【０１３２】
また、外板２５と真空断熱材３０との間と内板２３と真空断熱材３０との間の両方に間に硬質ウレタンフォーム２９が充填されるように、真空断熱材３０を中間浮かし配置にする場合は、外板２５と内板２３と枠体２４のいずれかと真空断熱材３０との間に中間浮かし用の部材が必要になる。
【０１３３】
そして、真空断熱材３０、真空断熱材３０の接着固定手段、中間浮かし用の部材は、高温度で発泡しながら流動する硬質ウレタンフォーム２９の流動性を悪くするので、真空断熱材３０の周囲に、硬質ウレタンフォーム２９が充填されない空洞（ボイド）が発生し易い。
【０１３４】
以上のように、真空断熱材３０の周囲には、硬質ウレタンフォーム２９が充填されない空洞（ボイド）が発生し易いので、硬質ウレタンフォーム２９の空洞（ボイド）発生による外板２５への悪影響が少なくなるように、真空断熱材３０は、外板２５に近接して配置するよりも外板２５から離した方が良いことが分かる。
【０１３５】
また、外板２５に密着するように真空断熱材３０を配置する場合は、真空断熱材３０の伝熱面が外板２５の面積より小さいと、外板２５と硬質ウレタンフォーム２９とが密着する部分と、外板２５と硬質ウレタンフォーム２９との間に真空断熱材３０が介在する部分ができる。
【０１３６】
そして、外板２５と硬質ウレタンフォーム２９とが密着する部分については、外板２５に対する硬質ウレタンフォーム２９の接着力が外板２５を保持する力に作用するが、外板２５と硬質ウレタンフォーム２９の間に真空断熱材３０が介在する部分については、外板２５と真空断熱材３０との接着固定手段の接着力と真空断熱材３０に対する硬質ウレタンフォーム２９の接着力の両方の接着力が外板２５を保持する力に作用する。
【０１３７】
そのため、外板２５と硬質ウレタンフォーム２９の間に真空断熱材３０が介在する部分において、外板２５を保持する力は、外板２５と真空断熱材３０との接着固定手段の接着
力よりも弱くなり、また、真空断熱材３０に対する硬質ウレタンフォーム２９の接着力よりも弱くなる。また、真空断熱材３０に対する硬質ウレタンフォーム２９の接着力は、外板２５に対する硬質ウレタンフォーム２９の接着力よりもバラツキが生じやすい。
【０１３８】
また、硬質ウレタンフォーム２９の発泡充填前の冶具予熱工程では、高温度で発泡しながら流動する硬質ウレタンフォーム２９の流動性と発泡効率を高めるため、発泡治具（図示せず）に設けた加熱手段（図示せず）により、硬質ウレタンフォーム２９と隣接する部材の表面温度を所定温度に高めているが、真空断熱材３０における加熱手段の加熱の影響を受けやすい面と反対側の面は、真空断熱材３０の高い断熱性能が影響して、温度上昇し難い。
【０１３９】
そして、外板２５に隣接する発泡治具に加熱手段があり、外板２５に略密着するように真空断熱材３０を配置した場合は、真空断熱材３０の高い断熱性能が影響して、真空断熱材３０における内板２３と対向する面の表面温度が所定温度より低い温度になるので、真空断熱材３０に対する硬質ウレタンフォーム２９の接着力が悪くなる。
【０１４０】
したがって、外板２５に密着するように真空断熱材３０を配置した場合は、外板２５と真空断熱材３０との間に硬質ウレタンフォーム２９が介在する場合よりも、外板２５を保持する力が低下する。
【０１４１】
また、外板２５に用いたガラス板２５が、外部からの衝撃で割れ難くするには、外板２５に対する外部からの衝撃力を吸収、分散する、比較的柔らかい緩衝材として機能するものが外板２５の内側で外板２５に隣接していることが望ましいので、真空断熱材３０の硬度が硬質ウレタンフォーム２９の硬度より硬い場合は、外板２５に密着するように真空断熱材３０を配置するよりも外板２５と真空断熱材３０との間に硬質ウレタンフォーム２９を介在させた方が、外板２５に用いたガラス板２５が外部からの衝撃で割れ難い。
【０１４２】
また、外板２５に密着するように真空断熱材３０を配置する場合において、外板２５と硬質ウレタンフォーム２９とが密着する部分ができる場合や、真空断熱材３０における外板２５に密着する面に凹凸がある場合や、真空断熱材３０のヒレ部３３を外板２５と対向する面側に折り返した場合は、外板２５に対する外部からの衝撃力を外板２５の内側で受け止める部分が局部に集中し易くなる。
【０１４３】
そして、外板２５に対する外部からの衝撃力を外板２５の内側で受け止める部分が局部に集中すると、外板２５に用いたガラス板２５が外部からの衝撃で割れ易くなるので、外板２５に密着するように真空断熱材３０を配置するのは、好ましくない。
【０１４４】
また、外板２５に密着するように真空断熱材３０を配置する場合において、真空断熱材３０が、グラスウール等の繊維集合体からなる板状の芯材３１をアルミニウムなどの金属をプラスチックフィルムに蒸着した蒸着層またはアルミニウム箔などの金属箔をプラスチックフィルムの間に有するラミネートフィルムからなる２枚の外被材３２で覆って芯材３１を２枚の外被材３２の間に減圧密封してなり、芯材３１の周囲に芯材３１を外被材３２の間に含まず外被材３２のみから構成されるヒレ部３３を有しており、真空断熱材３０のヒレ部３３を内板２３と対向する面側に折り返した場合は、外板２５から真空断熱材３０に伝わった熱は、外板２５に密着する外被材３２からヒレ部３３に伝わり、ヒレ部３３は内板２３と対向する面側に折り返しているので、ヒレ部３３における内板２３と対向する部分にまで伝わるので、真空断熱材３０の高い断熱性能を充分に発揮させることができない。
【０１４５】
また、真空断熱材３０が、グラスウール等の繊維集合体からなる板状の芯材３１をアル
ミニウムなどの金属をプラスチックフィルムに蒸着した蒸着層またはアルミニウム箔などの金属箔をプラスチックフィルムの間に有するラミネートフィルムからなる２枚の外被材３２で覆って芯材３１を２枚の外被材３２の間に減圧密封してなり、芯材３１の周囲に芯材３１を外被材３２の間に含まず外被材３２のみから構成されるヒレ部３３を有しており、真空断熱材３０の外部のガス（空気）が、真空断熱材３０の内部（芯材が外被材３２により密封された空間）に容易に侵入しないようにヒレ部３３の外被材３２同士を熱溶着している場合は、真空断熱材３０の設置環境が高温である程、真空断熱材３０の外部のガス（空気）が、外被材３２または外被材３２同士を熱溶着した部分から、真空断熱材３０の内部に侵入し易くなる。
【０１４６】
真空断熱材３０は内部の真空度が低下する（内圧が高くなる）程断熱性能が低下するので、真空断熱材３０の高い断熱性能を長期に亘って維持させるには、真空断熱材３０の設置環境が低温である程好ましい。
【０１４７】
本実施の形態では、真空断熱材３０を外板２５と内板２３との中間よりも内板２３寄りに配置もしくは真空断熱材３０を内板２３に固定したので、真空断熱材３０を外板２５と内板２３との中間よりも外板２５寄りに配置もしくは真空断熱材３０を外板２５に固定した場合よりも、真空断熱材３０を硬質ウレタンフォーム２９と共に複層構造にして断熱扉内に設けたことによる硬質ウレタンフォーム２９の接着力で外板２５を固定（保持）する機能の低下の影響を小さくすることができ、外板２５に用いるガラス板２５を薄くすることが可能になり、ガラス板２５で構成した外板２５の前面の全面が外部に露出するように、外板２５を硬質ウレタンフォーム２９の接着力を利用して固定することができ、長期に亘って外板２５を硬質ウレタンフォーム２９の接着力を利用して固定（保持）することができる。
【０１４８】
したがって、本実施の形態の冷蔵庫の扉１０〜１４に用いた断熱扉は、外部に露出する前面をガラス板２５で構成した外板２５と真空断熱材３０とを用いており、枠体２４の前端（ガラス板支持突起２４ｂ）がガラス板２５で構成した外板２５の前面よりも前方に突出せず、ガラス板２５で構成した外板２５前面の全面が外部に露出する構造にしたので、断熱性能と意匠性に優れている。
【０１４９】
また、ガラス板２５で構成した外板２５前面の全面が外部に露出する構造にした場合でも、硬質ウレタンフォーム２９の接着力を利用して、外部に露出する面をガラス板２５で構成した外板２５の脱落を、長期に亘って高い信頼性で防止することが可能になるので、長期に亘って優れた意匠性を維持することができる。
【０１５０】
また、本実施の形態の冷蔵庫の扉１０〜１４に用いた断熱扉は、真空断熱材３０のヒレ部３３を芯材３１が密封された部分に重なるように折り返して、折り返したヒレ部３３の上から両面テープ３４または片面接着テープ（例えば、主に梱包に用いられる耐水性、耐湿性に優れたＯＰＰテープ（ポリプロピレン材を溶融押出成型により透明なフィルムにして粘着剤を塗布した延伸ポリプロピレンテープ））で折り返した状態を維持するように固定し、折り返したヒレ部３３がある面を内板２３側に向けて、真空断熱材３０を両面テープ３４で内板２３に固定している。
【０１５１】
このようにして、真空断熱材３０を内板２３に固定すると、高温度で発泡しながら流動する硬質ウレタンフォーム２９は、折り返したヒレ部３３を接着固定した部分を剥がすように作用しないので、折り返したヒレ部３３の接着固定状態を長期に亘って維持できる。
【０１５２】
本実施の形態では、真空断熱材３０と内板２３との間に硬質ウレタンフォーム２９が入らないように真空断熱材３０を内板２３に固定したが、外板２５と真空断熱材３０との間
と内板２３と真空断熱材３０との間の両方に間に硬質ウレタンフォーム２９が充填されるように、真空断熱材３０を中間浮かし配置にして、真空断熱材３０の外板２５と対向する伝熱面に伝わった熱が折り返したヒレ部３３または真空断熱材３０の両面の外被材３２同士を熱溶着した部分を介して真空断熱材３０の内板２３と対向（略接触）する伝熱面に伝わった後に、真空断熱材３０の内板２３と対向（略接触）する伝熱面から内板２３に直接的に伝わるのを防ぐ場合は、真空断熱材３０を外板２５と内板２３との中間よりも内板２３寄りに配置する。この場合は、枠体２４と真空断熱材３０との間に中間浮かし用の部材を設けることが望ましい。
【０１５３】
（実施の形態２）
図７は本発明の実施の形態２における断熱扉の概略横断面図である。本実施の形態は、真空断熱材３０のヒレ部３３を芯材３１が密封された部分に重なるように折り返してホットメルト接着剤３６で固定し、折り返してたヒレ部３３がある面を外板２５側に向けて、真空断熱材３０を両面テープ３４で内板２３に固定したものであり、その他の構成は、実施の形態１と同様である。
【０１５４】
折り返したヒレ部３３を固定するホットメルト接着剤３６は、オレフィン系のホットメルト材で、株式会社ＭＯＲＥＳＣＯ製「モレスコメルトＲＡＣ―１８Ｚ」を採用した。塗布量は、０．５ｇ／ｍ〜１．５ｇ／ｍでボード状塗布とした。
【０１５５】
このホットメルト接着剤３６の代わりに、ウレタンフォーム素材に粘着材を塗布したブリジストン製「エバーライト」を用いても良い。この場合は、ウレタンフォーム素材であるため、硬質ウレタンフォーム２９に含浸し、剥離することがない。
【産業上の利用可能性】
【０１５６】
本発明の断熱扉は、前面にガラス板を用い、真空断熱材を硬質ウレタンフォームと共に複層構造にして断熱扉内に設けており、カラス板と硬質ウレタンフォームとの接着力を長期間に亘って維持でき、かつ、意匠性と断熱性能を高め、更にその高い意匠性を長く保持することができるので、一般用（家庭用）の冷蔵庫だけでなく、業務用の冷蔵庫やワインクーラーにも幅広く適用できる。
【符号の説明】
【０１５７】
２３  内板
２４  枠体
２４ｂ  ガラス板支持突起
２５  外板（ガラス板）
２９  硬質ウレタンフォーム
３０  真空断熱材
３１  芯材
３２  外被材
３３  ヒレ部
３６  ホットメルト接着剤
【図２】
2014211271.tif 000003
【図３】
2014211271.tif 000004
【図４】
2014211271.tif 000005
【図５】
2014211271.tif 000006
【図６】
2014211271.tif 000007
【図７】
2014211271.tif 000008
【図８】
2014211271.tif 000009
【図９】
2014211271.tif 000010
【図１】
2014211271.tif 000011